(57)【要約】【課題】器具を壁面に取付けるに当たり、壁面がビス止めのできないような場合はその取付けに制限が生じてしまう。そこでこの問題点を解決する。【解決手段】壁面側取付け部７と器具側取付け部８とを夫々扁平状とし、壁面側取付け部７に厚手部７１と薄手部７２とを形成し、厚手部７１には器具側取付け部８と結合、分離するための結合手段を設け、薄手部７２には取付け変更用プレート１０、２０を収めて固定するための固定手段を設け、必要に応じて取付け変更用プレート１０、２０を結合手段による結合を邪魔することなく固定して各種の取付け形態がとれるようにすることにより問題点を解決する。【選択図】      図１９
2004167321.tif 000002
【特許請求の範囲】
【請求項１】
扁平状の壁面側取付け部と、
扁平状の主プレートと、該主プレートの一方の面に摺動可能に支持された扁平状の摺動プレートとからなる器具側取付け部と、
前記主プレートおよび摺動プレートと、前記壁面側取付け部のそれぞれ対応する複数の位置に設けられ、該壁面側取付け部と器具側取付け部とを結合、分離可能にするための結合手段と、
を備え、
前記摺動プレートを摺動することにより前記摺動プレートに設けられた結合手段を作動するようになしたことを特徴とする器具用取付け装置。
【請求項２】
一部に厚さの厚い厚手部と厚さの薄い薄手部とが形成された扁平状の壁面側取付け部と、
器具の裏側に設けられた扁平状の器具側取付け部と、
前記厚手部とこれに対向する前記器具側取付け部とに設けられ、前記壁面側取付け部と前記器具側取付け部とを結合、分離可能にするための結合手段と、
前記薄手部内に取付け変更用プレートを着脱自在に収めて固定するためのプレート固定手段と
からなることを特徴とする器具用取付け装置。
【請求項３】
前記取付け変更用プレートの固定手段は、前記薄手部にガイド用突起を設け、前記取付け変更用プレート側に当該ガイド用突起が貫通するガイド溝を設け、前記取付け変更用プレートと前記壁面側取付け部との相対位置関係を変更可能にして固定するようにしたことを特徴とする請求項２に記載の器具用取付け装置。
【請求項４】
前記取付け変更用プレートは、前記壁面側取付け部から大きく下方に延在する長手部を有してなることを特徴とする請求項２に記載の器具用取付け装置。
【請求項５】
前記取付け変更用プレートに着脱自在に付される延長用プレートを備えてなることを特徴とする請求項２に記載の器具用取付け装置。
【請求項６】
前記取付け変更用プレートは、側方から見てＬ型に折曲されて形成されてなることを特徴とする請求項５に記載の器具用取付け装置。
【請求項７】
前記壁面側取付け部の扁平な面と平行に前記薄手部に設けた直線状の薄手部側歯と、前記取付け変更用プレートに設けた前記薄手部側歯と歯合する取付け変更用プレート側歯とを備えたことを特徴とする請求項３に記載の器具用取付け装置。
【請求項８】
前記取用付け用プレートは、側方から見て階段状に折曲され中間に水平な中間部が形成されてなることを特徴とする請求項４に記載の器具用取付け装置。
【請求項９】
器具の裏側に設けられた扁平状の器具側取付け部を有する器具用取付け装置であって、該器具側取付け部は、
壁面側取付け部に形成された切欠きと対向する位置に設けられた係止爪と、開口とを有する主プレートと、
前記主プレートに摺動可能に支持され、前記開口を通して突出する係止用片を有する摺動プレートとからなり、
前記摺動プレートは偏倚手段により常時一方向に偏倚して前記主プレートに支持されたことを特徴とする請求項１に記載の器具用取付け装置。
【発明の詳細な説明】
【０００１】
【発明の属する技術分野】
本発明は器具を壁面側に取付けるための器具用取付け装置に関する。
【０００２】
【従来の技術】
従来、この種器具の取付け装置は、壁面に受け金具をビス止め等により固定し、この受け金具に吊戸棚のような器具の背面に取付けられた吊金具を係合するものがある（例えば、特許文献１参照）。
【０００３】
【特許文献１】
特開平８−２２８８５７号公報
【０００４】
【発明が解決しようとする課題】
しかし、上述した従来装置は、壁面に受け金具をビス止め等により固定するものであるため、壁面がタイル張りのような場合にはビス止めが不可能になる。従って、器具の取付け個所に制限が生じるという問題点がある。
そこで、本発明は、上記の問題点に鑑みなされたものであり、壁面の状況に制限されることなく簡単な構成で器具を壁面側に取付けるための器具用取付け装置を提供することを目的とする。
【０００５】
【課題を解決するための手段】
上記目的を達成するため、本発明の請求項１による装置は、扁平状の壁面側取付け部と、扁平状の主プレートと、該主プレートの一方の面に摺動可能に支持された扁平状の摺動プレートとからなる器具側取付け部と、前記主プレートおよび摺動プレートと、前記壁面側取付け部のそれぞれ対応する複数の位置に設けられ、該壁面側取付け部と器具側取付け部とを結合、分離可能にするための結合手段（例えば、切欠き７３、７４、係止用爪８２、係止用片８７等から形成される手段）とを備え、前記摺動プレートを摺動することにより前記摺動プレートに設けられた結合手段を作動するようになした器具用取付け装置であることを特徴とする。
【０００６】
本発明の請求項２による装置は、一部に厚さの厚い厚手部と厚さの薄い薄手部とが形成された扁平状の壁面側取付け部と、器具の裏側に設けられた扁平状の器具側取付け部と、前記厚手部とこれに対向する前記器具側取付け部とに設けられ、前記壁面側取付け部と前記器具側取付け部とを結合、分離可能にするための結合手段（例えば、切欠き７３、７４、係止用爪８２、係止用片８７等から形成される手段）と、前記薄手部内に取付け変更用プレートを着脱自在に収めて固定するためのプレート固定手段（例えば、ガイド用突起７７、ねじ孔７８、ガイド用長溝１５等から形成される手段）とからなる器具用取付け装置であることを特徴とする。
【０００７】
本発明の請求項３による装置は、前記取付けプレート固定手段は、前記薄手部にガイド用突起を設け、前記取付け変更用プレート側に当該ガイド用突起が貫通するガイド溝（例えば、ガイド用長溝１５）を設け、前記取付け変更用プレートと前記壁面側取付け部との相対位置関係を変更可能にして固定するようにした器具用取付け装置であることを特徴とする。
【０００８】
本発明の請求項４による装置は、前記取付け変更用プレートは、前記壁面側取付け部から大きく下方に延在する長辺部（例えば、第１の取付け変更用プレート１０の長辺部分）を有してなる器具用取付け装置であることを特徴とする。
【０００９】
本発明の請求項５による装置は、前記取付け変更用プレートに着脱自在に付される延長用プレートを備えてなる器具用取付け装置であることを特徴とする。
【００１０】
本発明の請求項６による装置は、前記取付け変更用プレートは、側方から見てＬ型に折曲されて形成されてなる器具用取付け装置であることを特徴とする。
【００１１】
本発明の請求項７による装置は、前記壁面側取付け部の扁平な面と平行に前記薄手部に設けた直線状の薄手部側歯と、前記取付け変更用プレートに設けた前記薄手部側歯と歯合する取付け変更用プレート側歯とを備えた器具用取付け装置であることを特徴とする。
【００１２】
本発明の請求項８による前記取用付け用プレートは、側方から見て階段状に折曲され中間に水平な中間部が形成されてなる器具用取付け装置であることを特徴とする。
【００１３】
本発明の請求項９による器具用取付け装置は、器具の裏側に設けられた扁平状の器具側取付け部を有する器具用取付け装置であって、該器具側取付け部は、
壁面側取付け部に形成された切欠きと対向する位置に設けられた係止爪と、開口とを有する主プレートと、
前記主プレートに摺動可能に支持され、前記開口を通して突出する係止用片を有する摺動プレートとからなり、
前記摺動プレートは偏倚手段（例えば、スプリング８５）により常時一方向に偏倚して前記主プレートに支持されたことを特徴とする器具用取付け装置であることを特徴とする。
【００１４】
【発明の実施の形態】
以下、本発明の実施の形態について図面を参照しながら説明する。図１は本発明の実施の形態の一例において適用される器具としての浄水器の正面図である。１はその中にカートリッジが内蔵された浄水器本体、２はカバー、２’は下部ケース、３、４、５は夫々浄水器本体１の下方に設けられた原水用ノズル、浄水用ノズル、エアー抜き用ノズルである。浄水器本体１はシンク周辺に取付けられ、夫々のノズル３、４、５にはホース６が連結されている。原水用ノズル３と浄水用ノズル４に連結されたホース６は蛇口の切り換えコック（図示せず）に連結され、原水をカートリッジに導いて浄化し浄水として蛇口から放出するようになっている。
【００１５】
図２は浄水器本体１をシンク周辺の所定位置に取付けるための取付け部材を示し、浄水器本体はカバー２が外された状態で示された斜視図である。７はシンク側取付け部、８は浄水器本体１の裏面に設けられた器具側取付け部である。
壁面側取付け部７は図３の平面図、図３におけるＡ−Ａ線断面図である図４及び図３におけるＢ−Ｂ線断面図である図５で詳しく示されている。壁面取付け部７は全体的に矩形で扁平状になっている。そして、両側の面上には厚さが若干厚く中空の厚手部７１が形成され、中央には幅広く厚さの薄い溝状の薄手部７２が形成されている。
【００１６】
薄手部７２の深さは、後述するプレートが位置されてもプレート表面が厚手部７１の表面から突出しない寸法になっている。厚手部７１には、上下に切欠き７３、７４が形成されている。薄手部７２内の両側には、壁面側取付け部７の扁平な面と平行に、互いに向きあって壁面側取付け部側歯７５が設けられている。更に、薄手部７２内には、４個の貫通孔７６と２個のガイド用突起７７とが設けられている。ガイド用突起７７にはねじ孔７８が形成され、後述する各種の取付け変更用プレートを着脱自在に固定するための固定手段を構成するものである。
【００１７】
器具側取付け部８は図６、図７の斜視図で詳しく示されているが、壁面側取付け部７と密着するように矩形の主プレート８１をベースにして構成されている。壁面側取付け部７の下方に形成された切欠き７３と対向する主プレート８１の位置には、下方に向いた片からなる係止用爪８２が設けられている。一方、壁面側取付け部７の上方に形成された切欠き７４と対向する主プレート８１の表面には、開口８３が形成されている。
【００１８】
８４はプレート８１に上下に摺動するように取付けられた摺動プレート、８５は摺動プレート８４を主プレート８１に対して常時上方に偏倚させるためのスプリング、８６は摺動プレート８４の上部に設けた解除用レバー、８７は開口８３から突出し上方に折曲された片からなり摺動プレート８４に取付けられた係止用片である。この器具側取付け部８は浄水器本体１を納めた下部ケース２’の内側に垂直にビスなどによって取付けられるが、同時に摺動プレート８４は主プレート８１と浄水器本体１との間で摺動可能に配されている。
【００１９】
浄水器本体１にカバー２が付されているときは、解除用レバー８４はカバー２内に有り主プレート８１が露出されている。このようにして、壁面側取付け部７の切欠き７３、７４と器具側取付け部８の係止用爪８２、係止用片８７等から両者を結合、分離するための結合手段が構成されている。
【００２０】
１０は第１の取付け変更用プレートであり、図８の正面図、図９の平面図及び図８におけるＣ−Ｃ線断面図である図１０において詳細に示されている。第１の取付け変更用プレート１０は幅広部１１をベースにして断面が２回直角に折り曲げられて階段状になっており、中間に水平の中間部１２が形成されている。幅広部１１からは上方に幅狭部１３が延在されており、下方は幅広状のままでプレートが延在している。この幅狭部１３の両側に第１の取付け変更用プレート側歯１４が形成されている。そして、ガイド用突起７７が貫通するガイド用長溝１５が形成されている。
【００２１】
即ち、幅狭部１３は、第１の取付け変更用プレート側歯１４が壁面側取付け部側歯７５と歯合し、ガイド用長溝１５にガイド用突起７７が貫通した状態で薄手部７２内に全体的に収まるようになっている。そして、第１の取付け変更用プレート１０が壁面側取付け部７から大きく下方に延在する長手部を構成するようになっている。１６は中間部１２にタップを付して形成された一対のねじ孔である。
【００２２】
２０は第２の取付け変更用プレートであり、図１１の正面図、図１２の平面図及び図１１におけるＤ−Ｄ線断面図である図１３において詳細に示されている。第２の取付け変更用プレート２０は幅広部２１をベースにし断面がＬ型をなしている。幅広部２１からは第１の取付け変更用プレート１０の幅狭部１３と同一形状の幅狭部２２が延在されている。
【００２３】
即ち、２３は第２の取付け変更用プレート側歯、２４はガイド用長溝であって、幅狭部２２は、第２の取付け変更用プレート側歯２３が薄手部側歯７５と歯合し、ガイド用長溝２４にガイド用突起７７が貫通した状態で薄手部７２内に全体的に収まるようになっている。
【００２４】
３０は第３の取付け変更用プレートであり、図１４の正面図、図１５の平面図及図１６の側面図で詳細に示されている。第３の取付け変更用プレート３０は、幅広であって側方から見てＬ型をなし、短辺３１と長辺３２からなる。３３は短辺３１に形成した一対の貫通孔であり第１の取付け変更用プレート１０のねじ孔１６に対応した位置にある。
【００２５】
次に、上記本発明の一実施例における浄水器の取付け用装置を用いた各種の取付け形態について説明する。
取付けタイプＡとしては、図１７の側面図で示すようにシンク４０の前方の壁面４１が木製等であってネジ止め可能な場合である。
【００２６】
この取付け方法は、まず、壁面側取付け部７を木ねじ４２で壁面４１に固定する。この状態で図２の矢印で示すように浄水器本体１を壁面４１の方に持ってきて器具側取付け部８を壁面側取付け部７に対面させる。そして、浄水器本体１（下部ケース２’）を若干手前に傾けて係止用爪８２を切欠き７３に挿入して係止する。次に、浄水器本体１の上方を強く壁面４１方向に押圧し係止用片８７を切欠き７４に押し込む。すると摺動プレート８４がスプリング８５の偏倚力に抗して下方に摺動し、押し込まれた係止用片８７の遊端は切欠き７４の上方内壁にと当接して係止状態となる。従って、浄水器本体１は壁面４１に固定される。ここで、切欠き７３、７４は壁面側取付け部に刻印（図示せず）などで上下を示しているので、壁面側取付け部７と器具側取付け部８との結合に当たり上下を誤ることがない。
【００２７】
カートリッジの交換、修理等により浄水器本体１を壁面４１から取り外す場合は、解除用レバー８６を押し下げて摺動用プレート８４をスプリング８５の偏倚力に逆らって下方に摺動させながら浄水器本体１を手前に傾ける。この操作によって、係止用片８７の遊端は切欠き７４の内壁から離れ、係止用片８７が切欠き７４内から離脱する。その後、浄水器本体１を若干上方に持ち上げれば係止用爪８２を切欠き７３から離脱させることになり、浄水器本体１を壁面４１から取り外すことができる。
【００２８】
取付けタイプＢとしては、壁面４１がタイル張りのようにねじ止めをすることができない場合である。壁面側取付け部７を壁面４１に両面テープで固定することが考えられるが、これだけでは浄水器本体１の重量を支えきれないので、図１８で示すようにシンク４０の水平面４３を利用したものである。
【００２９】
取付け状態は図１８の側面図で示すように壁面側取付け部７を壁面４１に両面テープ４４で接着して固定すると共に、壁面側取付け部７と水平面４３との間に前述した第１の取付け変更用プレート１０を介在させる。そして、この介在された第１の取付け変更用プレート１０によって浄水器本体１の重量を支持する。この場合、取付け変更用プレート１０の下端にゴム、ポリエチレンなどの柔軟材料からなるブーツ状のクッション材１７を取付けた後、シンク上の水平面４３に当接させると、水平面に傷がつきにくく、また取付け変更用プレート１０のシンクに当接している位置がずれなく好ましい。
【００３０】
取付けタイプＢにおける具体的な取付け方法を図１９の説明用斜視図、図２０、図２１の平面図によって説明する。
【００３１】
第１のステップとしては、図１９で示すように第１の取付け変更用プレート１０を用意し、これを壁面側取付け部７（図３〜図５参照）と一体にする。これは、ガイド用長溝１５にガイド用突起７７を貫通させると共に、薄手部側歯７５と第１の取付け変更用プレート側歯１４とを歯合させて幅狭部１３を溝部７２に収める。そして、ねじ４５をガイド用長溝１５を通してねじ孔７８に螺合させ、第１の取付け変更用プレート１０を仮止めする。
【００３２】
第２のステップとしては、浄水器本体１の取付け位置が壁面４１の高い位置か低い位置かによって第１の取付け変更用プレート１０の高さ調整を行う。低くする場合は図２０で示すようにガイド用突起７６がガイド用長溝１５の下方に位置するように幅狭部１３を薄手部７２内に収める。一方、高くする場合は図２１で示すようにガイド用突起７７がガイド用長溝１５の上方に位置するように幅狭部１３を薄手部７２に収める。
【００３３】
そして、ガイド用長溝１５を通してねじ孔７８にねじ４５を螺合させ、幅狭部１３が薄手部７２から外れないようにする。幅狭部１３が溝部７２に収められた状態では、薄手部側歯７５と第１の取付け変更用プレート側歯１４とが歯合しているので上下方向の過重に対しては変位しない強固な状態で一体化される。
【００３４】
第３のステップとしては、浄水器本体１を仮置きして最終的な高さ設定を行う。
第１の取付け変更用プレート１０と一体化された壁面側取付け部７に器具側取付け部８を結合させ、浄水器本体１と壁面側取付け部７と第１のプレート１０との３者を一体にする。この状態で浄水器本体１をシンク４０上の望ましい高さ位置に位置させたときに第１プレート１０の下端が水平面４３に当接するか否かの確認を行う。
【００３５】
もし、まだ微調整の必要がある場合は、浄水器本体１と壁面側取付け変更部７とを分離し、ねじ４５をはずして第１の取付け変更用プレート１０と壁面側取付け部７の相対位置を変更して再び一体に組み上げて仮置きをして確認する。この微調整は薄手部側歯７５、第１の取付け変更用プレート側歯１４のピッチ単位で行うことができる。そして、最終的に高さ設定を完了させる。尚、この一体化、分離の手順は前述した取付けタイプＡの場合と同じである。
【００３６】
第４ステップとしては、浄水器本体１の所定位置への取付けとなる。これは図１８で示すように３者一体の状態で壁面側取付け部７を壁面４１に両面テープ４４で固定する。この状態で第１の取付け変更用プレート１０の下端は水平面４３に当接しているので浄水器本体１の重量を支えることができる。
【００３７】
取付けタイプＣとしては、浄水器本体１の取付け壁面４１に段状になったバックガード４６がある場合である。この場合は図２２に示すように、第１の取付け変更用プレート１０の中間部１２を段状になったバックガード４６の水平部分に当てるように配する。この高さ方向の位置調整は前述した取付けタイプＢと同様である。
【００３８】
取付けタイプＤとしては、取付けタイプＢに比し浄水器本体１の取付け位置が極めて高い場合である。また、バックガード４６があってもこれを利用できない場合である。この場合は第１の取付け変更用プレート１０の下端はシンク４０に至らない。そこで、この取付けタイプＤは、図２３の側面図で示すように第１の取付け変更用プレート１０に前述した延長用プレート３０を連結する方法をとるものである。
【００３９】
その具体的な取付け方法を図によって説明する。図２４の斜視図で示すように延長用プレート３０（図１４〜図１６参照）の長辺３２を第１の取付け変更用プレート１０の長手方向に重ねると共に、延長用プレート３０の短辺３１を第１の取付け変更用プレート１０の中間部１２に重ねる。そして、ねじ４７を貫通孔３３を通しタップ孔１６に螺合させ、第１の取付け変更用プレート１０と延長用プレート３０とを一体にする。
【００４０】
次に、前述した取付け方法Ｂタイプで行ったステップと同様にして浄水器本体１を壁面４１の所定位置に位置させた状態で延長用プレート３０の下端をシンク４０の水平面４３に当接させる。そして、図２３で示すように浄水器本体１、壁面側取付け部７、第１の取付け変更用プレート１０及び延長用プレート３０の４者を一体化した状態で壁面側取付け部７を両面テープ４４で壁面４１に固定する。この状態で延長用プレート３０の下端はシンク４０の水平面４３に当接しているので浄水器本体１の重量を支えることができる。
【００４１】
取付けタイプＥとしては、図２５の側面図で示すように壁面４１の下方にバックガード４６が設けられ壁面４１との間に間隙４８が形成されている場合である。この場合は、図２５、図２６で示すように、横方向から見てコ字型になるように、第１の取付け位変更用プレート１０の中間部１２に延長用プレート３０の短辺３１を重ねて両者をねじ４７により固定する。そして、延長用プレート３０の長辺３２を間隙４８に挿入することによりバックガード４６上に浄水器本体１を載置することができる。壁面側取付け部７と壁面４１とは特に固定する必要はないが安定性を保つためには両面テープ４４で固定してもよい。
【００４２】
取付けタイプＦとしては、図２７の側面図で示すように浄水器本体１をシンク４０の水平面４３上に配置する場合である。この場合は図２８で示すように、前述した第２の取付け変更用プレート２０を壁面側取付け部７の下方に延在するように固定する。この固定方法、高さの微調整方法は前述した取付けタイプＢと同様な手順で行う。そして、高さ調整が完了したならば、Ｌ型の取付け変更用プレート２０を基台としてシンク４０上に配置する。ここで、壁面４１に固定する必要があるときは、両面テープを用いて壁面側取付け部７と壁面とを接着すればよい。
【００４３】
取付けタイプＧとしては、図２９の側面図で示すように浄水器本体１をシンク４０前方のカウンター４９を利用する場合である。この場合は、図２９、図３０で示すように、第２の取付け変更用プレート２０を取付けタイプＦとは逆に反転させて壁面側取付け部７の上方に延在するように固定する。第２の取付け変更用プレート２０の壁面側取付け部７への固定方法、高さの微調整は前述した取付けタイプＢと同様な手順で行う。そして、第２のプレート２０は両面テープ４４でカウンター４９に固定する。
【００４４】
本発明の実施の形態の一例では器具として浄水器を適用したが、本発明においてはこれに限ることなく各種の厨房器具、家電製品、装飾品等を器具として適用してもよい。また、本発明の実施の態様の一例では結合手段として切欠き７３、７４、係止用爪８２、係止用片８７、摺動プレート８４等から形成したが、ねじ止めによる等、他の構成によって形成してもよい。
【００４５】
【発明の効果】
以上説明した通り、本発明の請求項１によれば、扁平状の壁面側取付け部と、扁平状の主プレートと、該主プレートの一方の面に摺動可能に支持された扁平状の摺動プレートとからなる器具側取付け部と、前記主プレートおよび摺動プレートと、前記壁面側取付け部のそれぞれ対応する複数の位置に設けられ、該壁面側取付け部と器具側取付け部とを結合、分離可能にするための結合手段とを備え、前記摺動プレートを摺動することにより前記摺動プレートに設けられた結合手段を作動するようになしたものである。
【００４６】
また、本発明の請求項２によれば、一部に厚さの厚い厚手部と厚さの薄い薄手部とが形成された扁平状の壁面側取付け部と、器具の裏側に設けられた扁平状の器具側取付け部と、前記厚手部とこれに対向する前記器具側取付け部とに設けられ、前記壁面側取付け部と前記器具側取付け部とを結合、分離可能にするための結合手段と、前記薄手部内に取付け変更用プレートを着脱自在に収めて固定するためのプレート固定手段とを設けたものである。従って、以下の効果を有する器具用取付け装置を提供できる。
【００４７】
第１に、器具は前記壁面側取付け部単独で壁面に取付けることができるだけでなく、選択的に前記取付け変更用プレートを用いて取付けを行うことができる。これは、前記壁面側取付け部だけで取付けができない場合に前記取付け変更用プレートを用いて他の個所で確実に固定することができる。即ち、器具の取付け環境の相違に応じて取付け方法を変更できる。
【００４８】
第２に、前記取付け変更用プレートは前記壁面側取付け部の薄手部内に収められて固定されるため、前記結合手段を用いて前記器具側取付け部を前記壁面側取付け部に結合手段で結合する際に邪魔にならない。従って、前記壁面側取付け部と前記器具側取付け部との形状を偏平状のままで維持でき、前記器具を壁面に密接して取付けることができる。
【００４９】
第３に、前記取付け変更用プレートは、前記壁面側取付け部での固定部分が共通であるための、他の取付け部分の形状を多種のもので用意できる。即ち、器具の取付け形態を簡単な構成で実質的に制限無く得ることができる。
【００５０】
本発明の請求項３によれば、前記プレート固定手段は、前記薄手部にガイド用突起を設け、前記取付け変更用プレート側に当該ガイド用突起が貫通するガイド溝を設け、前記取付け変更用プレートと前記壁面側取付け部との相対位置を変更可能にして固定するようにしたため、簡単な構成で器具の取付け高さを任意に変更できる器具用取付け装置を提供できる。
【００５１】
本発明の請求項４によれば、前記取付け変更用プレートは、前記壁面側取付け部から大きく下方に延在する長手部を有しているため、前記取付け変更用プレートの先端を水平個所に当接して支持し、器具を高い個所で固定ができる器具用取付装置を提供できる。
【００５２】
本発明の請求項５によれば、前記取付け変更用プレートに着脱自在に付される延長用プレートを備えたため、器具を壁面だけで固定することなく延長用プレートの先端を水平個所に当接して極めて高い位置に固定することができる器具用取付け装置を提供できる。
【００５３】
本発明の請求項６によれば、前記取付け変更用プレートは、側方から見てＬ型に折曲されて形成されてなるため、下記の２種の方法を単一の部品で選択できる器具用取付け装置を提供できる。
【００５４】
その１としては、一辺を支持個所の平面に当接して器具の下方で固定する。その２としては、前記変更用プレートの１辺が前記壁面側取付け部の上方に延在させれように反転させて当該変更用プレートを当該壁面側取付け部に固定し、その一辺を階段状の支持個所上面に掛止して器具の上方で固定する。
【００５５】
本発明の請求項７によれば、前記壁面側取付け部の扁平な面と平行に前記薄手部に設けた直線状の薄手部側歯と、前記取付け変更用プレートに設けた前記薄手部側歯と歯合する変更用プレート側歯とを備えたため、前記変更用プレートを前記壁面側取付け部に固定した状態は前記変更用プレート側歯を前記薄手部側歯に歯合させた状態となるので器具の重量に対し強固に固定されている器具の取付け装置を提供できる。また、前記変更用プレートと前記壁面側取付け部との相対関係を変更する際は、歯のピッチの単位で微小に変更ができるので確実な取付けを達成できる器具の取付け装置を提供できる。
【００５６】
本発明の請求項８によれば、前記取付け用プレートは、側方から見て階段状に折曲され中間に水平な中間部が形成されているため、下記の２種の方法を単一の部品で選択できる器具取付け装置を提供できる。
【００５７】
その１としては、前記変更用プレートの先端を水平個所に当接させて器具の下方で固定する。その２としては、前記変更用プレートの折曲された中間部を段状の支持個所の上面に当接させて器具を固定する。
【００５８】
本発明の請求項９によれば、器具側に設けられた主プレートと、主プレートに対して常時一方向に偏倚されて該主プレート摺に動可能に支持された摺動プレートとからなる器具用取付け装置が提供できるため、容易に壁面側取付け部に器具側を着脱することができる。
【図面の簡単な説明】
【図１】本発明の実施の形態の一例において適用される器具としての浄水器の正面図である。
【図２】本発明の実施の形態の一例における器具用取付け装置の全体を示す斜視図である。
【図３】本発明の実施の形態の一例における壁面側取付け部を示す正面図である。
【図４】図３におけるＡ−Ａ線断面図である。
【図５】図３におけるＢ−Ｂ線断面図である。
【図６】本発明の実施の形態の一例における器具側取付け部を示す斜視図である。
【図７】図６における摺動プレートを示す斜視図である。
【図８】本発明の実施の形態の一例における第１の取付け変更用プレートを示す正面図である。
【図９】本発明の実施の形態の一例のおける第１のプレートの平面図である。
【図１０】図８におけるＣ−Ｃ線断面図である。
【図１１】本発明の実施の形態の一例における第２の取付け変更用プレートを示す正面図である。
【図１２】本発明の実施の形態の一例における第２の取付け変更用プレートを示す平面図である。
【図１３】図１１のＣ−Ｃ線断面図である。
【図１４】本発明の実施の形態の一例における延長用プレートを示す正面図である。
【図１５】本発明の実施の形態の一例における延長用プレートを示す平面図である。
【図１６】本発明の実施の形態の一例における延長用プレートを示す側面図である。
【図１７】本発明の実施の形態の一例における取付けタイプＡを示す側面図である。
【図１８】本発明の実施の形態の一例における取付けタイプＢを示す側面図である。
【図１９】図１８における器具用取付け装置の全体を示す斜視図である。
【図２０】本発明の実施の形態の一例における取付けＢタイプでの壁面側取付け部と第１の取付け変更用プレートとの位置調整を示し、最も短い状態の正面図である。
【図２１】本発明の実施の形態の一例における取付けタイプＢでの壁面側取付け部と第１の取付け変更用プレートとの位置調整を示し、最も長い状態の正面図である。
【図２２】本発明の実施の形態の一例における取付けタイプＣを示す側面図である。
【図２３】本発明の実施の形態の一例における取付けタイプＤを示す側面図である。
【図２４】本発明の実施の形態の一例における取付けタイプＤでの壁面側取付け部と第１の取付け変更用プレートと延長用プレートとを一体にした状態を示す斜視図である。
【図２５】本発明の実施の形態の一例における取付けタイプＥを示す側面図である。
【図２６】本発明の実施の形態の一例における取付けタイプＥでの壁面側取付け部と第２の取付け変更用プレートと延長用プレートとを一体にした状態を示す斜視図である。
【図２７】本発明の実施の形態の一例における取付けタイプＦを示す側面図である。
【図２８】本発明の実施の形態の一例における取付けタイプＦでの壁面側取付け部と第２の取付け変更用プレートを一体にした状態を示す斜視図である。
【図２９】本発明の実施の形態の一例における取付けタイプＧを示す側面図である。
【図３０】本発明の実施の形態の一例における取付けタイプＧを示す第２の取付け変更用プレートを一体にした状態を示す斜視図である。
【符号の説明】
１    浄水器本体
２    カバー
２’    下部ケース
７    壁面側取付け部
８    器具側取付け部
１０    第１の取付け変更用プレート
１２    中間部
１３    幅狭部
１４    第１の取付け変更用プレート側歯
１５    ガイド用長溝
２０    第２の取付け変更用プレート
２１    幅広部
２２    幅狭部
２３    第２の取付け変更用プレート側歯
２４    ガイド用長溝
３０    延長用プレート
４０    シンク
４１    壁面
４３    水平面
４４    両面テープ
４６    バックガード
４９    カウンター
７３    切欠き
７４    切欠き
８２    係止用爪
８３    係止用弾性爪
【図１】
2004167321.tif 000003
【図２】
2004167321.tif 000004
【図３】
2004167321.tif 000005
【図４】
2004167321.tif 000006
【図５】
2004167321.tif 000007
【図６】
2004167321.tif 000008
【図７】
2004167321.tif 000009
【図８】
2004167321.tif 000010
【図９】
2004167321.tif 000011
【図１０】
2004167321.tif 000012
【図１１】
2004167321.tif 000013
【図１２】
2004167321.tif 000014
【図１３】
2004167321.tif 000015
【図１４】
2004167321.tif 000016
【図１５】
2004167321.tif 000017
【図１６】
2004167321.tif 000018
【図１７】
2004167321.tif 000019
【図１８】
2004167321.tif 000020
【図１９】
2004167321.tif 000021
【図２０】
2004167321.tif 000022
【図２１】
2004167321.tif 000023
【図２２】
2004167321.tif 000024
【図２３】
2004167321.tif 000025
【図２４】
2004167321.tif 000026
【図２５】
2004167321.tif 000027
【図２６】
2004167321.tif 000028
【図２７】
2004167321.tif 000029
【図２８】
2004167321.tif 000030
【図２９】
2004167321.tif 000031
【図３０】
2004167321.tif 000032